Podtech/llm-jp-corpus-v4-ja_patent huggingface dataset:
【手続補正書】
【提出日】平成21年8月13日(2009.8.13)
【手続補正１】
【補正対象書類名】特許請求の範囲
【補正対象項目名】全文
【補正方法】変更
【補正の内容】
【特許請求の範囲】
【請求項１】
抗原または抗原性調製物をアジュバントと組み合わせて含む、ヒトでの使用にとって好適な用量の免疫原性組成物であって、該アジュバントが、リポソームの形態で提供されたキラヤ・サポナリア・モリナの樹皮に由来する免疫学的に活性なサポニン画分およびリポ多糖を含み、該サポニン画分およびリポ多糖が両方とも30μg未満のレベルで該ヒト用量中に存在する、前記免疫原性組成物。
【請求項２】
前記アジュバント組成物がステロールをさらに含み、サポニン：ステロールの比が1:1〜1:100 w/wである、請求項１に記載の免疫原性組成物。
【請求項３】
サポニン：ステロールの比が1:1〜1:10 w/wである、請求項２に記載の免疫原性組成物。
【請求項４】
サポニン：ステロールの比が1:1〜1:5 w/wである、請求項２に記載の免疫原性組成物。
【請求項５】
前記免疫学的に活性なサポニン画分がQS21である、請求項１〜４のいずれか１項に記載の免疫原性組成物。
【請求項６】
前記ステロールがコレステロールである、請求項２〜５のいずれか１項に記載の免疫原性組成物。
【請求項７】
前記リポ多糖がリピドA誘導体である、請求項１〜６のいずれか１項に記載の免疫原性組成物。
【請求項８】
前記リピドA誘導体が3D-MPLである、請求項７に記載の免疫原性組成物。
【請求項９】
QS21：3D-MPLの比が1:1である、請求項７または８に記載の免疫原性組成物。
【請求項１０】
担体をさらに含む、請求項１〜９のいずれか１項に記載の免疫原性組成物。
【請求項１１】
前記リポ多糖が、1〜30μgの量で存在する、請求項１〜１０のいずれか１項に記載の免
疫原性組成物。
【請求項１２】
前記リポ多糖が25μgの量で存在する、請求項１１に記載の免疫原性組成物。
【請求項１３】
前記リポ多糖が1〜15μgの量で存在する、請求項１１に記載の免疫原性組成物。
【請求項１４】
前記リポ多糖が10μgの量で存在する、請求項１３に記載の免疫原性組成物。
【請求項１５】
前記リポ多糖が5μgの量で存在する、請求項１３に記載の免疫原性組成物。
【請求項１６】
前記リポ多糖がリピドA誘導体である、請求項１１〜１５のいずれか１項に記載の免疫原性組成物。
【請求項１７】
前記リピドA誘導体が3D-MPLである、請求項１６に記載の免疫原性組成物。
【請求項１８】
前記サポニンが1〜25μgの量で存在する、請求項１〜１７のいずれか１項に記載の免疫原性組成物。
【請求項１９】
前記サポニンが25μgの量で存在する、請求項１８に記載の免疫原性組成物。
【請求項２０】
前記サポニンが1〜10μgの量で存在する、請求項１８に記載の免疫原性組成物。
【請求項２１】
前記サポニンが10μgの量で存在する、請求項２０に記載の免疫原性組成物。
【請求項２２】
前記サポニンが5μgの量で存在する、請求項２０に記載の免疫原性組成物。
【請求項２３】
前記免疫学的に活性なサポニン画分がQS21である、請求項１８〜２２のいずれか１項に記載の免疫原性組成物。
【請求項２４】
ヒトでの使用にとって好適な前記用量が0.5〜1.5 mlである、請求項１〜２３のいずれか１項に記載の免疫原性組成物。
【請求項２５】
前記用量が0.5 mlである、請求項２４に記載の免疫原性組成物。
【請求項２６】
前記用量が0.7 mlである、請求項２４に記載の免疫原性組成物。
【請求項２７】
前記用量が1.0 mlである、請求項２４に記載の免疫原性組成物。
【請求項２８】
1〜30μgのリポ多糖と、リポソームの形態で提供された1〜30μgの免疫学的に活性なサポニン画分とを含む、ヒト用量の免疫原性組成物中での使用にとって好適な容量のアジュバント組成物。
【請求項２９】
前記リポ多糖がリピドA誘導体である、請求項２８に記載のアジュバント組成物。
【請求項３０】
前記リピドA誘導体が3D-MPLである、請求項２９に記載のアジュバント組成物。
【請求項３１】
前記免疫学的に活性なサポニン画分がQS21である、請求項２８〜３０のいずれか１項に記載のアジュバント組成物。
【請求項３２】
前記リポ多糖および前記免疫学的に活性なサポニン画分が同量でアジュバント組成物中に存在する、請求項２８〜３１のいずれか１項に記載のアジュバント組成物。
【請求項３３】
前記ヒト用量に好適な容量が250μlである、請求項２８〜３２のいずれか１項に記載のアジュバント組成物。
【請求項３４】
前記ヒト用量に好適な容量が360μlである、請求項２８〜３２のいずれか１項に記載のアジュバント組成物。
【請求項３５】
前記リポ多糖が25μgの量で存在する、請求項２８〜３４のいずれか１項に記載のアジュバント組成物。
【請求項３６】
前記リポ多糖が10μgの量で存在する、請求項２８〜３４のいずれか１項に記載のアジュバント組成物。
【請求項３７】
前記リポ多糖が5μgの量で存在する、請求項２８〜３４のいずれか１項に記載のアジュバント組成物。
【請求項３８】
前記免疫学的に活性なサポニンが25μgの量で存在する、請求項２８〜３７のいずれか１項に記載のアジュバント組成物。
【請求項３９】
前記免疫学的に活性なサポニンが10μgの量で存在する、請求項２８〜３７のいずれか１項に記載のアジュバント組成物。
【請求項４０】
前記免疫学的に活性なサポニンが5μgの量で存在する、請求項２８〜３７のいずれか１項に記載のアジュバント組成物。
【請求項４１】
前記抗原または抗原性調製物が水痘-帯状疱疹ウイルス(VZV)に由来する、請求項１〜２７のいずれか１項に記載の免疫原性組成物。
【請求項４２】
前記抗原または抗原性調製物が肺炎連鎖球菌に由来する、請求項１〜２７のいずれか１項に記載の免疫原性組成物。
【請求項４３】
前記抗原または抗原性調製物がサイトメガロウイルス(CMV)に由来する、請求項１〜２７のいずれか１項に記載の免疫原性組成物。
【請求項４４】
前記抗原または抗原性調製物がプラスモジウム・ファルシパルムに由来する、請求項１〜２７のいずれか１項に記載の免疫原性組成物。
【請求項４５】
前記抗原または抗原性調製物がインフルエンザウイルスに由来する、請求項１〜２７のいずれか１項に記載の免疫原性組成物。
【請求項４６】
前記抗原または抗原性調製物がヒトパピローマウイルス(HPV)に由来する、請求項１〜２７のいずれか１項に記載の免疫原性組成物。
【請求項４７】
ヒトにおいて、(i)抗原もしくはその抗原性調製物に対する改善されたCD4 T細胞免疫応答、(ii)抗原もしくはその抗原性調製物に対する改善された体液性免疫応答、(iii)抗原もしくはその抗原性調製物に対する改善されたB記憶細胞応答のうちの少なくとも1種、または少なくとも2種または全部を誘導するための免疫原性組成物の製造における、(a)前記抗原もしくはその抗原性調製物および(b)請求項１〜４６のいずれか１項で定義されたアジュバントの使用。
【請求項４８】
抗原または抗原組成物および請求項１〜４６のいずれか１項で定義されたアジュバントを、それを必要とする個体または集団に送達することを含む、ワクチン接種方法。
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
モノクローナル抗体組成物によって標的細胞のアポトーシスをインビトロにて誘導する方法であって、表面にＣＤ１６を発現している細胞の存在下で、前記抗体組成物を前記標的細胞と接触させることを含み、前記抗体が前記標的細胞に対するものであり、かつ、前記抗体組成物のフコース含量が６５％未満である方法。
【請求項２】
請求項１において、前記フコース含量が３０％未満であることを特徴とする方法。
【請求項３】
請求項１または２において、前記フコース含量が２０％〜４５％の間にあることを特徴とする方法。
【請求項４】
請求項１または２において、前記フコース含量が２５％〜４０％の間にあることを特徴とする方法。
【請求項５】
請求項１〜４のいずれか一項において、前記抗体組成物がＹＢ２／０細胞株により産生されることを特徴とする方法。
【請求項６】
強いアポトーシス能力を持つ抗体を産生するための、ＹＢ２／０細胞株の使用。
【請求項７】
ｉ）表面にＣＤ１６を発現している細胞の存在下で、評価対象の抗体と、この抗体の抗原またはこの抗原を発現している細胞とを接触させる工程と、
ｉｉ）誘導されたアポトーシスを測定する工程と、
ｉｉｉ）前記ＣＤ１６を発現している細胞の存在下で、陰性対照であるＣＤ１６の非存在下と比較して、少なくとも２０％より多く、さらに５０％より多くのアポトーシスの誘導を示す抗体組成物を選択する工程と
を含む、強いアポトーシス能力を持つ抗体組成物を選択する方法。
【請求項８】
請求項７において、選択された抗体が、抗第ＶIII因子インヒビターに対する抗イディオタイプ抗体、自己抗体に対する抗体、ならびに感染細胞の表面に発現されたウイルスおよび／または細菌タンパク質に対する抗体であることを特徴とする方法。
【請求項９】
免疫エフェクター細胞による細胞傷害性機能を利用せずに、定量的または定性的なＮＫ細胞欠乏（ＡＤＣＣなし）を治療するよう意図される医薬の調製のための、フコース含量が６５％未満であるか、または請求項７もしくは８に記載の方法に従って得られるモノクローナル抗体の組成物の使用。
【請求項１０】
請求項９において、前記モノクローナル抗体組成物のフコース含量が３０％未満である使用。
【請求項１１】
請求項９において、前記モノクローナル抗体組成物のフコース含量が２０％〜４５％の間である使用。
【請求項１２】
請求項９において、前記モノクローナル抗体組成物のフコース含量が２５％〜４０％の間である使用。
【請求項１３】
請求項９において、前記モノクローナル抗体組成物がＹＢ２／０細胞株によって産生される使用。
【請求項１４】
請求項９〜１３のいずれか一項において、Ｂ−ＣＬＬを治療するよう意図される医薬の調製のための使用。
【請求項１５】
請求項９〜１３のいずれか一項において、紅斑性狼瘡、拡張型心筋症、血球貪食性組織球増殖症、ならびにＨＩＶおよびＡ型またはＢ型血友病を治療するよう意図される医薬の調製のための使用。
【手続補正書】
【提出日】平成21年11月9日(2009.11.9)
【手続補正１】
【補正対象書類名】特許請求の範囲
【補正対象項目名】全文
【補正方法】変更
【補正の内容】
【特許請求の範囲】
【請求項１】
（ａ）薬剤；
（ｂ）微結晶セルロース；
（ｃ）希釈剤；
（ｄ）流動促進剤；および
（ｅ）成分の合計重量が１０から６０％ｗ／ｗとなるような量で、エチルセルロース、ステアリン酸およびステアリン酸の塩のうち１以上を含む、持続放出型医薬組成物。
【請求項２】
押出球形化を含むプロセスにより得られる、請求項１に記載の組成物。
【請求項３】
２０から約５０％ｗ／ｗの前記エチルセルロース、前記ステアリン酸若しくは前記ステアリン酸の塩またはその組み合わせを含む、請求項１または２に記載の組成物。
【請求項４】
成分（ｅ）が前記エチルセルロースのみである、請求項１〜３のいずれか一項に記載の組成物。
【請求項５】
前記エチルセルロースが４４から５１％のエトキシル置換及び２から４０ｃｐｓの粘度（８０／２０トルエン／エタノールの５％溶液）を有する、請求項１〜４のいずれか一項に記載の組成物。
【請求項６】
前記エチルセルロースが４９．６から５１．０％の範囲のエトキシル置換、および８から１１ｃｐｓの粘度（８０／２０トルエン／エタノールの５％溶液）を有する、請求項１〜５のいずれか一項に記載の組成物。
【請求項７】
存在する前記ステアリン酸の量がｌ０から３０％ｗ／ｗである、請求項１〜６のいずれか一項に記載の組成物。
【請求項８】
存在する前記ステアリン酸塩の量が５から４５％ｗ／ｗである、請求項１〜７のいずれか一項に記載の組成物。
【請求項９】
前記微結晶セルロースの量が２０から５０％ｗ／ｗである、請求項１〜８のいずれか一項に記載の組成物。
【請求項１０】
前記流動促進剤がタルクであり、及び／又は前記希釈剤がデンプンである、請求項１〜９のいずれか一項に記載の組成物。
【請求項１１】
前記薬剤が３７℃の温度および大気圧で１ｍｇ／ｍ未満の水性媒体に対する溶解度を有する、請求項１〜１０のいずれか一項に記載の組成物。
【請求項１２】
前記薬剤が甲状腺ホルモンである、請求項１〜１１のいずれか一項に記載の組成物。
【請求項１３】
前記薬剤がリオチロニンまたはその塩である、請求項１〜１２のいずれか一項に記載の組成物。
【請求項１４】
インビトロ溶解試験において（ｉ）約４時間以内で前記薬剤の少なくとも５０％、約６時間以内で少なくとも７０％の薬剤放出、又は（ｉｉ）約８時間以内で前記薬剤の少なくとも５０％、約１２時間以内で少なくとも７０％の薬剤放出を示す、請求項１〜１３のいずれか一項に記載の組成物。
【請求項１５】
エチルセルロース、前記希釈剤としてのデンプンおよび前記流動促進剤としてのタルクを含む、請求項１４の（ｉ）に記載の組成物。
【請求項１６】
０．００１から１％ｗ／ｗのリオチロニンまたはその塩；２０から４０％ｗ／ｗの前記微結晶セルロース；１５から５５％ｗ／ｗの前記デンプン、１０〜２０％ｗ／ｗの前記タルク；および１５から２５％ｗ／ｗの前記エチルセルロースを含む、請求項１５に記載の組成物。
【請求項１７】
前記ステアリン酸および／またはその塩、前記希釈剤としてのデンプンおよび前記流動促進剤としてのタルクを含む、請求項１４の（ｉｉ）に記載の組成物。
【請求項１８】
０．００１から１％ｗ／ｗのリオチロニンまたはその塩；２０から４０％ｗ／ｗの前記微結晶セルロース；１５から３５％ｗ／ｗの前記デンプン、５から２０％ｗ／ｗの前記タルク；１０から３０％ｗ／ｗのステアリン酸カルシウム；および５から１５％ｗ／ｗの前記ステアリン酸を含む、請求項１７に記載の組成物。
【請求項１９】
ペレットの形態である、請求項１〜１８のいずれか一項に記載の組成物。
【請求項２０】
十分な水と成分を混合することにより重質顆粒または湿潤塊を調製してペーストとし、前記ペーストを押出機に通し、押出物を球化機に移し、次いでこのように形成された粒子を乾燥することを含む、請求項１〜１９のいずれか一項に記載の組成物の調製方法。
【請求項２１】
体循環中への薬剤の持続放出において使用される医薬を製造するための、請求項１から１９のいずれか一項に記載の組成物の使用。
【請求項２２】
甲状腺機能低下症または鬱血性心不全の治療用医薬を製造するための請求項１から１９のいずれか一項に記載の組成物の使用。
【請求項２３】
甲状腺機能低下症または鬱血性心不全の治療に使用するための請求項１から１９のいずれか一項に記載の組成物。
【手続補正書】
【提出日】平成21年10月21日(2009.10.21)
【手続補正１】
【補正対象書類名】明細書
【補正対象項目名】０１３６
【補正方法】変更
【補正の内容】
【０１３６】
代謝物試験
５−フルオロ−３−メトキシ−２−ピラジンアミンおよび６−フルオロ−３−メトキシ−２−ピラジンアミンを、Mutation Res. 1983;113:173-215に記載のMaron and Amesの試験法に従って、ネズミチフス菌ＬＴ２株ＴＡ９８およびＴＡ１００を使用して、変異原性について試験した。代謝活性化のために、Aroclor 1254処理ラット(Molecular Toxicology Inc., Boone, North Carolina, USAから購入したミクロソーム画分(Ｓ９))からの肝臓のホモゲネートを、寒天プレート(ヒスチジン無し)に試験化合物および細菌テスター株と共に添加した；用いた完全活性化系は：ホスフェート緩衝液(０.１mol／Ｌ、ｐＨ７.４)：１００mmol／Ｌ；塩化マグネシウム：８mmol／Ｌ；塩化カリウム：３３mmol／Ｌ；ニコチンアミドアデニンジヌクレオチドホスフェート：４mmol／Ｌ；グルコース−６−ホスフェート：５mmol／Ｌ；およびラット肝臓ホモゲネート(Ｓ９画分)：１０％ｖ／ｖであった。関連するコロニーの平均数およびサンプル標準分散(コントロールプレートから)を、各試験群について計算した。試験化合物は、以下の基準を満たすとき変異原性と見なした：ｉ)何れかの株の関連するコロニーの数が、１種以上の試験化合物の存在下で、代謝活性化を伴い、または伴わずに増加したii)関連するコロニーの数の用量関連増加があった、およびiii)何らかの増加が再現性があった。
５−フルオロ−３−メトキシ−２−ピラジンアミンおよび６−フルオロ−３−メトキシ−２−ピラジンアミンの両方について、試験結果は陰性であり、これらの化合物がこの試験条件で変異原性ではないことを示す。
【手続補正書】
【提出日】平成21年8月12日(2009.8.12)
【手続補正１】
【補正対象書類名】明細書
【補正対象項目名】００２２
【補正方法】変更
【補正の内容】
【００２２】
乳化剤は本発明と関連して界面活性剤の活性を有する物質として理解されるべきであり、従って水が前記親水性基剤に添加された際に多相性混合物、すなわちエマルジョンが生成し得る。本発明の組成物は特に乳化剤を含み、これにより水が添加された際に前記親水性基剤が油中水型エマルジョン（Ｗ／Ｏエマルジョン）、油中ゲル型エマルジョン（Ｇ／Ｏエマルジョン）、水中油型エマルジョン（Ｏ／Ｗエマルジョン）、ゲル中油型エマルジョン（Ｏ／Ｇエマルジョン）、水中油中水型エマルジョン（Ｗ／Ｏ／Ｗエマルジョン）、ゲル中油中ゲル型エマルジョン（Ｇ／Ｏ／Ｇエマルジョン）、水中油中ゲル型エマルジョン（Ｇ／Ｏ／Ｗエマルジョン）、ゲル中油中水型エマルジョン（Ｗ／Ｏ／Ｇエマルジョン）、油中水中油型エマルジョン（Ｏ／Ｗ／Ｏエマルジョン）、又は油中ゲル中油型エマルジョン（Ｏ／Ｇ／Ｏエマルジョン）を形成し得るべきである。同様に好ましくは、Ｏ／Ｗエマルジョン若しくはＷ／Ｏエマルジョン又はＯ／Ｇエマルジョン若しくはＧ／Ｏエマルジョンを形成し得；またエチレン又はプロピレングリコール類若しくはエチレンプロピレングリコール類を含まない、即ちエチレン、プロピレン、又はエチレンプロピレングリコール単位を含むどのような物質も含まない乳化剤である。
【手続補正２】
【補正対象書類名】明細書
【補正対象項目名】００７７
【補正方法】変更
【補正の内容】
【００７７】
ｉｉ）ゼラチン溶液の生成
ｙｇの上記溶液Ａにｘｇのゼラチン粉末（豚皮由来Ａ型、１７５ブルーム、ＧＥＬＩＴＡゼラチン、ＤＧＦ  Ｓｔｏｅｓｓ  ＡＧ、６９４０２  エーベルバッハ）を室温で添加し、ｘ％のゼラチン溶液を生成する。該ゼラチンは溶液Ａへ全て一度に速やかに添加し、全粒子が該溶液で湿るように該溶液を強力に攪拌し、得られた混合物を６０℃のウォーターバス中で２４時間攪拌する。水が漏れないように注意すべきである。このようにして２０％（ｘ＝２０、ｙ＝８０）及び３５％（ｘ＝３５、ｙ＝６５）のゼラチン溶液が生成する。
【手続補正書】
【提出日】平成21年9月1日(2009.9.1)
【手続補正１】
【補正対象書類名】特許請求の範囲
【補正対象項目名】全文
【補正方法】変更
【補正の内容】
【特許請求の範囲】
【請求項１】
熱デバイスであって、
酸化性金属から形成され、酸素及び水分に露出することにより、発熱反応が活性化して熱を発生する発熱組成物と、
保水層と、
水分を前記発熱組成物に供給することができる前記保水層に付与された、１つ又はそれ以上の溶質を含む水溶液と、
を備えることを特徴とする熱デバイス。
【請求項２】
前記保水層が、セルロース繊維を含むことを特徴とする請求項１に記載の熱デバイス。
【請求項３】
前記保水層が、超吸収性材料を含有することを特徴とする請求項１又は請求項２に記載の熱デバイス。
【請求項４】
前記保水層が、約５０グラムから約５００グラム／平方メートルの基本重量及び約０．０５から約０．２５グラム／立方センチメートルの密度を有する繊維性ウエブを含有することを特徴とする請求項１から請求項３のいずれか１項に記載の熱デバイス。
【請求項５】
前記溶質が、金属塩を含むことを特徴とする請求項１から請求項４のいずれか１項に記載の熱デバイス。
【請求項６】
前記金属塩が、塩化ナトリウムであることを特徴とする請求項５に記載の熱デバイス。
【請求項７】
前記溶質が、約１から約２０重量パーセントの水溶液、及び好ましくは約５から約１５重量パーセントの水溶液を構成することを特徴とする請求項１から請求項６のいずれか１項に記載の熱デバイス。
【請求項８】
前記水溶液の蒸気圧が、２５℃で約２７．２ｍｍＨｇよりも小さく、好ましくは２５℃で約２０．０ｍｍＨｇから約２３．０ｍｍＨｇであることを特徴とする請求項１から請求項７のいずれか１項に記載の熱デバイス。
【請求項９】
前記水溶液が、前記酸化性金属の重量の約２０重量パーセントから約５００重量パーセントの量で存在することを特徴とする請求項１から請求項８のいずれか１項に記載の熱デバイス。
【請求項１０】
前記熱デバイスが、前記発熱組成物と接触する水分及び酸素の量を調整することができる、通気性層を更に備えることを特徴とする請求項１から請求項９のいずれか１項に記載の熱デバイス。
【請求項１１】
前記金属が、鉄、亜鉛、アルミニウム、マグネシウム、又はこれらの組み合わせであることを特徴とする請求項１から請求項１０のいずれか１項に記載の熱デバイス。
【請求項１２】
前記発熱組成物が、炭素成分、結合剤、及び電解質塩を更に含むことを特徴とする請求項１から請求項１１のいずれか１項に記載の熱デバイス。
【請求項１３】
前記発熱組成物が、第１の熱基体上に被膜されていることを特徴とする請求項１から請求項１２のいずれか１項に記載の熱デバイス。
【請求項１４】
前記熱デバイスが、発熱組成物で被膜された第２の熱基体を備えることを特徴とする請求項１３に記載の熱デバイス。
【請求項１５】
前記保水層が、前記第１の熱基体と前記第２の熱基体との間に配置されたことを特徴とする請求項１４に記載の熱デバイス。
【請求項１６】
第１及び第２の通気性層を更に含み、前記熱基体及び保水層が、前記通気性層間に配置されたことを特徴とする請求項１５に記載の熱デバイス。
【請求項１７】
前記保水層が、約５１パーセントの初期相対湿度及び約２２℃の温度で求めた値として、約０．０５パーセントから約０．５パーセント、及び好ましくは約０．１パーセントから約０．２５パーセントの蒸発率で水分を前記発熱組成物に放出する水溶液を含有することを特徴とする請求項１から請求項１６のいずれか１項に記載の熱デバイス。
【請求項１８】
請求項１乃至１７の何れか１項に記載の熱デバイスを酸素に露出して、該熱デバイスの１つ又はそれ以上の表面が、２０分又はこれより短い時間内に約３５℃から約５５℃の高温に到達する制御された加熱プロファイルを達成する段階を含む、ことを特徴とする方法。
【手続補正書】
【提出日】平成21年9月1日(2009.9.1)
【手続補正１】
【補正対象書類名】特許請求の範囲
【補正対象項目名】全文
【補正方法】変更
【補正の内容】
【特許請求の範囲】
【請求項１】
空洞を形成するパッドと、
前記空洞内に取り外し可能に配置することができるサーマルインサートと、
を備え、
前記サーマルインサートが、酸化性金属を含む発熱被膜を含む基板を備え、該発熱被膜は、酸素及び水分に露出すると活性化して熱を発生することができることを特徴とする治療キット。
【請求項２】
前記パッドが、伸長可能材料を含むことを特徴とする請求項１に記載の治療キット。
【請求項３】
前記伸長可能材料が、フィルム、不織ウエブ、又はこれらの組み合わせを含むことを特徴とする請求項２に記載の治療キット。
【請求項４】
前記伸長可能材料が、エラストマーポリマーを含むことを特徴とする請求項２又は請求項３に記載の治療キット。
【請求項５】
前記空洞が、前記伸長可能材料に取り付けられたレセプタクルによって形成されることを特徴とする請求項２、請求項３又は請求項４に記載の治療キット。
【請求項６】
前記パッドが、１つ又はそれ以上のループを備えることを特徴とする請求項１から請求項５までのいずれか１項に記載の治療キット。
【請求項７】
前記パッドが、１つ又はそれ以上の固締具を備えることを特徴とする請求項１から請求項６までのいずれか１項に記載の治療キット。
【請求項８】
前記金属が、鉄、亜鉛、アルミニウム、マグネシウム、又はこれらの組み合わせであることを特徴とする請求項１から請求項７までのいずれか１項に記載の治療キット。
【請求項９】
前記発熱被膜が、炭素成分、結合剤、電解質塩、又はこれらの組み合わせを更に含むことを特徴とする請求項１から請求項８までのいずれか１項に記載の治療キット。
【請求項１０】
前記発熱被膜が、約２０パーセントから約５０００パーセント、好ましくは約１００パーセントから約１２００パーセントの固形物添加量レベルで存在することを特徴とする請求項１から請求項９までのいずれか１項に記載の治療キット。
【請求項１１】
前記基体が、不織ウエブを含むことを特徴とする請求項１から請求項１０までのいずれか１項に記載の治療キット。
【請求項１２】
前記発熱被膜が、一般的には活性化前に水分を含まないことを特徴とする請求項１から請求項１１までのいずれか１項に記載の治療キット。
【請求項１３】
前記サーマルインサートが、活性化前に前記発熱被膜への酸素の通過を阻止するエンクロージャ内に密封されることを特徴とする請求項１から請求項１２までのいずれか１項に記載の治療キット。
【請求項１４】
前記サーマルインサートが、水分を前記発熱被膜に供給することができる水溶液を付与された保水層を更に備える、ことを特徴とする請求項１から請求項１３までのいずれか１項に記載の治療キット。
【請求項１５】
前記水溶液が、１つ又はそれ以上の溶質を含むことを特徴とする請求項１４に記載の治療キット。
【請求項１６】
前記サーマルインサートが、前記発熱被膜と接触する水分及び酸素の量を調整することができる通気性層を更に備えることを特徴とする請求項１から請求項１５までのいずれか１項に記載の治療キット。
【請求項１７】
身体部分に熱を提供するための方法であって、
水分及び酸素に露出すると活性化して熱を発生することができる発熱被膜を含み、該発熱被膜への酸素の通過を阻止するエンクロージャ内に密封されたサーマルインサートを準備する段階と、
前記エンクロージャを開き、パッドによって形成された空洞内に前記サーマルインサートを置く段階と
前記パッドを前記身体部分に隣接して又は身体部分の近くに置く段階と、
を含むことを特徴とする方法。
【請求項１８】
前記発熱被膜が、酸化性金属を含むことを特徴とする請求項１７に記載の方法。
【請求項１９】
前記発熱被膜が、一般的には活性化前に水分を含まないことを特徴とする請求項１７又は請求項１８に記載の方法。
【請求項２０】
前記サーマルインサートの１つ又はそれ以上の表面が、２０分又はこれより短い時間内に約３５℃から約５５℃の高温に到達することを特徴とする請求項１７、請求項１８又は請求項１９に記載の方法。
【手続補正書】
【提出日】平成19年11月14日(2007.11.14)
【手続補正１】
【補正対象書類名】特許請求の範囲
【補正対象項目名】全文
【補正方法】変更
【補正の内容】
【特許請求の範囲】
【請求項１】
心臓血管障害を発症する変更された危険性、またはスタチン処置に対する変更された応答可能性を有する個体を同定することを支援するための方法であって、該方法は、
該個体の核酸の試験サンプルにおいて、配列番号１〜５１７および１０３５〜８５，０９０のヌクレオチド配列のうちのいずれか一つにおいて一塩基多型（ＳＮＰ）を検出する工程
を包含し、該ＳＮＰの存在が、該個体における心臓血管障害を発症する変更された危険性、またはスタチン処置に対する応答の変更された危険性と関連する、方法。
【請求項２】
前記変更された危険性が、心臓血管障害を発症する上昇した危険性、または、スタチン処置に対する上昇した応答可能性である、請求項１に記載の方法。
【請求項３】
前記心臓血管障害が、心筋梗塞および脳卒中からなる群より選択される急性冠状動脈事象である、請求項１に記載の方法。
【請求項４】
前記個体が、以前に急性冠状動脈事象を有した、請求項３に記載の方法。
【請求項５】
前記変更された危険性が、心臓血管障害を発症する減少した危険性、または、スタチン処置に対する減少した応答可能性である、請求項１に記載の方法。
【請求項６】
前記スタチン処置が、プラバスタチンでの処置を含む、請求項１に記載の方法。
【請求項７】
前記ＳＮＰが、表６〜１５に記載のＳＮＰからなる群より選択される、請求項１に記載の方法。
【請求項８】
請求項１に記載の方法であって、対立遺伝子特異的プローブハイブリダイゼーション、対立遺伝子特異的プライマー伸長、対立遺伝子特異的増幅、配列決定、５’ヌクレアーゼ消化、分子ビーコンアッセイ、オリゴヌクレオチドライゲーションアッセイ、サイズ分析、および一本鎖立体配座多型からなる群より選択されるプロセスにより検出が実施される、方法。
【請求項９】
少なくとも８個連続したヌクレオチドを含む単離された核酸分子であって、該ヌクレオチドのうちの一つは、配列番号１〜５１７および１０３５〜８５，０９０のヌクレオチド配列のうちのいずれか一つ、またはその相補体より選択される一塩基多型（ＳＮＰ）である、核酸分子。
【請求項１０】
前記ＳＮＰが、表３および表４に記載のＳＮＰからなる群より選択される、請求項９に記載の単離された核酸分子。
【請求項１１】
配列番号５１８〜１０３４のアミノ酸配列のうちのいずれか一つをコードする、単離された核酸分子。
【請求項１２】
配列番号５１８〜１０３４からなる群より選択されるアミノ酸配列を含む、単離されたポリペプチド。
【請求項１３】
請求項１２に記載のポリペプチドもしくはその抗原結合フラグメントに特異的に結合する、抗体。
【請求項１４】
前記抗体が、モノクローナル抗体である、請求項１３に記載の抗体。
【請求項１５】
増幅されたポリヌクレオチドであって、該増幅されたポリヌクレオチドは、
配列番号１〜５１７および１０３５〜８５，０９０のヌクレオチド配列のうちのいずれか一つ、またはその相補体より選択される、一塩基多型（ＳＮＰ）
を含み、該増幅されたポリヌクレオチドは、約１６ヌクレオチドと約１，０００ヌクレオチドとの間の長さである、ポリヌクレオチド。
【請求項１６】
請求項１５に記載の増幅されたポリヌクレオチドであって、前記ヌクレオチド配列が、配列番号１〜５１７および１０３５〜８５，０９０のヌクレオチド配列のうちのいずれか一つを含む、ポリヌクレオチド。
【請求項１７】
配列番号１〜５１７および１０３５〜８５，０９０のヌクレオチド配列のうちのいずれか一つの一塩基多型（ＳＮＰ）を含む核酸分子に特異的にハイブリダイズする、単離されたポリヌクレオチド。
【請求項１８】
８ヌクレオチド〜７０ヌクレオチドの長さである、請求項１７に記載のポリヌクレオチド。
【請求項１９】
対立遺伝子特異的プローブである、請求項１７に記載のポリヌクレオチド。
【請求項２０】
対立遺伝子特異的プライマーである、請求項１７に記載のポリヌクレオチド。
【請求項２１】
請求項１７に記載のポリヌクレオチドであって、該ポリヌクレオチドは、表５（配列番号８５，０９１〜８５，７０２）に記載のプライマー配列からなる群より選択されるヌクレオチド配列を含む、ポリヌクレオチド。
【請求項２２】
核酸中の一塩基多型（ＳＮＰ）を検出するためのキットであって、該キットは、
請求項１７のポリヌクレオチド、緩衝剤、および酵素
を備える、キット。
【請求項２３】
核酸分子中の一塩基多型（ＳＮＰ）を検出するための方法であって、該方法は、
ストリンジェントなハイブリダイゼーション条件下で、配列番号１〜５１７および１０３５〜８５，０９０のヌクレオチド配列のうちのいずれか一つにおけるＳＮＰに特異的にハイブリダイズする試薬と、試験サンプルとを接触させる工程；ならびに
ハイブリダイズした二重鎖の形成を検出する工程
を包含する、方法。
【請求項２４】
請求項２３に記載の方法であって、対立遺伝子特異的プローブハイブリダイゼーション、対立遺伝子特異的プライマー伸長、対立遺伝子特異的増幅、配列決定、５’ヌクレアーゼ消化、分子ビーコンアッセイ、オリゴヌクレオチドライゲーションアッセイ、サイズ分析、および一本鎖立体配座多型からなる群より選択されるプロセスにより検出が実施される、方法。
【請求項２５】
改変ポリペプチドを検出するための方法であって、該方法は、
試験サンプル中の配列番号１〜５１７および１０３５〜８５，０９０のヌクレオチド配列のうちのいずれか一つにおける一塩基多型（ＳＮＰ）によりコードされる改変ポリペプチドと、試薬とを接触させる工程、および
該試薬の該ポリペプチドへの結合を検出する工程
を包含する、方法。
【請求項２６】
心臓血管障害を治療的もしくは予防的に処置するのに有用な薬剤を同定するための方法であって、該方法は、
候補薬剤に請求項１２に記載のポリペプチドを、該ポリペプチドと該候補薬剤との間に結合複合体を形成させるために適切な条件下で接触させる工程、ならびに
該結合複合体の形成を検出する工程
を包含し、該複合体の存在は、該薬剤を同定する、方法。
【請求項２７】
個体における心臓血管障害を処置するための組成物であって、該組成物は、
表１〜１５に開示されるＳＮＰ部位からなる群より選択される１以上のＳＮＰ部位に存在する対立遺伝子によって予測されるスタチン処置に対する該個体の応答可能性に基づく、有効量のスタチン
を含む、組成物。
【請求項２８】
個体における心臓血管障害を処置するための医薬の製造における、有効量のスタチンの使用であって、該有効量は、表１〜１５に開示されるＳＮＰ部位からなる群より選択される１以上のＳＮＰ部位に存在する対立遺伝子によって予測されるスタチン処置に対する該個体の応答可能性に基づく、使用。
【手続補正書】
【提出日】平成21年10月22日(2009.10.22)
【手続補正１】
【補正対象書類名】特許請求の範囲
【補正対象項目名】全文
【補正方法】変更
【補正の内容】
【特許請求の範囲】
【請求項１】
矯正用物品の基部と、
前記基部の少なくとも一部に配置され、結晶性酸化ジルコニウムを含むコーティング、とを含む矯正用物品。
【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
内視鏡に結合されたビデオ・カメラから画像を表す画像データを受信するステップと、
前記内視鏡の物理的な特徴に依存する前記画像の特徴を基礎として、前記内視鏡を自動的に認識するステップと
から成ることを特徴とする方法。
【請求項２】
前記認識した内視鏡を識別する情報を外部のデバイスに送信するステップをさらに有することを特徴とする請求項１に記載の方法。
【請求項３】
前記ビデオ・カメラによって獲得された画像の処理又は表示のためのパラメータ値を、前記画像の特徴を基礎として自動的に選択するステップをさらに有することを特徴とする請求項１に記載の方法。
【請求項４】
前記画像の特徴はフレーム内の指定された特徴を有するピクセルの数を含むことを特徴とする請求項１に記載の方法。
【請求項５】
前記画像の特徴は前記画像内の黒空間の量を含むことを特徴とする請求項１に記載の方法。
【請求項６】
前記内視鏡の前記物理的な特徴は前記内視鏡内の光学的特徴を含むことを特徴とする請求項１に記載の方法。
【請求項７】
前記内視鏡の前記物理的な特徴は前記内視鏡の拡大率であることを特徴とする請求項１に記載の方法。
【請求項８】
前記画像はビデオ・フレームであることを特徴とする請求項１に記載の方法。
【請求項９】
前記内視鏡の前記物理的な特徴に依存する前記画像の特徴は、前記ビデオ・フレーム内のラインごとの最小又は最大の黒ピクセルの数を含むことを特徴とする請求項１に記載の方法。
【請求項１０】
内視鏡に結合されたビデオ・カメラからビデオ・フレームを表す画像データを受信する入力インターフェースと、
ビデオ・フレームを表す前記画像データをストアするメモリと、
前記ビデオ・フレーム内の黒空間の量を基礎として前記内視鏡の特徴を識別するロジッ
クと、
を備えることを特徴とする装置。
【請求項１１】
前記内視鏡の特徴は、前記内視鏡が属する内視鏡のクラスを含むことを特徴とする請求項１０に記載の装置。
【請求項１２】
前記内視鏡の前記特徴は前記内視鏡の拡大率を含むことを特徴とする請求項１０に記載の装置。
【請求項１３】
前記ビデオ・フレーム内の黒空間の量を基礎として前記内視鏡の特徴を識別することを特徴とする前記ロジックは、
前記ビデオ・フレーム内のラインごとに黒ピクセルの最小数をカウントするロジックと、
前記ビデオ・フレーム内のラインごとに黒ピクセルの前記最小数を基礎として前記内視鏡の前記特徴を識別するロジックと、
を含むことを特徴とする請求項１０に記載の装置。
【請求項１４】
前記ビデオ・フレーム内の黒空間の量を基礎として前記内視鏡を識別するロジックと、
前記認識した内視鏡を識別する情報を外部のデバイスに送信するロジックと、
を含むことを特徴とする請求項１０に記載の装置。
【手続補正書】
【提出日】平成21年10月28日(2009.10.28)
【手続補正１】
【補正対象書類名】特許請求の範囲
【補正対象項目名】全文
【補正方法】変更
【補正の内容】
【特許請求の範囲】
【請求項１】
抗菌処理方法であって、
荷電部分が付着した基材と、前記基材の少なくとも一部分上に存在する安定化された過酸化物とを準備し、
前記過酸化物が前記基材の表面に近接して存在する微生物に関連した生物由来または微生物由来の分泌物または水分源に接触したときに、過酸化物ガスを放出するべく前記安定化された過酸化物を活性化することによって、前記基材表面近傍の酸化性の微小環境を発生させる
ことを含むことを特徴とする抗菌処理方法。
【請求項２】
微生物の接触伝達を最小化するための保護用物品または洗浄用物品であって、
荷電部分により部分的に被覆された基材表面と、
前記基材表面上に配置された安定化された過酸化物と
を含み、
前記過酸化物が、水分を担持した前記基材の周囲の微小雰囲気と反応したときに、前記安定化された過酸化物分子は前記基材表面から過酸化物ガスを放出するように適合されていることを特徴とする物品。
【請求項３】
請求項２に記載された物品であって、
前記電荷部分は、カチオン性であることを特徴とする物品。
【請求項４】
請求項１に記載された方法であって、
前記基材の有効電荷密度は、少なくと約０．１マイクロ当量／グラムであることを特徴とする方法。
【請求項５】
請求項２に記載された物品であって、
前記基材の有効電荷密度は、約８０００マイクロ当量／グラム以下であることを特徴とする物品。
【請求項６】
請求項２に記載された物品であって、
前記基材の表面は、約３５以上の正電荷指標を有するように電気的に改変されていることを特徴とする物品。
【請求項７】
請求項２に記載された物品であって、
前記安定化された過酸化物は、基材の約２０重量％以下の量が存在していることを特徴とする物品。
【請求項８】
請求項２に記載された物品であって、
前記安定化された過酸化物は、
ａ）前記基材表面に直接的に結合されているか、
ｂ）分解可能な中空構造内に存在しているか、
ｃ）粒子の塊内に含まれているか、
またはａ）、ｂ）、ｃ）の組み合わせであることを特徴する物品。
【請求項９】
請求項８に記載された発明であって、
前記粒子は、平均粒子サイズが約５ｎｍまたはそれ以下であることを特徴とする発明。
【請求項１０】
請求項１に記載された方法であって、
前記微生物は、前記荷電部分に対して反対の電荷を有することを特徴とする方法。
【請求項１１】
請求項２に記載された物品であって、
前記物品は、天然または合成のラテックスフィルムから一部分が形成された本体を有することを特徴とする物品。
【請求項１２】
請求項１４に記載された物品であって、
前記ラテックスフィルムは、弾性を有することを特徴とする物品。
【請求項１３】
請求項２に記載された物品であって、
前記物品は、不織布基材から一部分が形成された本体を有することを特徴とする物品。
【請求項１４】
請求項２に記載された物品であって、
前記基材の外部または活性表面の部分は、前記過酸化物が充填された分解可能な中空構造を有し、水分源または特定の生物または微生物の分泌物に前記基材が接触したときに、前記中空構造から前記過酸化物を放出することを特徴とする物品。
【請求項１５】
請求項１４に記載された物品であって、
前記中空構造は、内部の過酸化物を前記基材表面に、持続的かつ限定的に放出することを特徴とする物品。
【請求項１６】
請求項１４に記載された物品であって、
前記中空構造は、内部の過酸化物を前記基材表面に、急速かつ爆発的に放出することを特徴とする物品。
【請求項１７】
請求項２に記載された物品であって、
前記保護用物品は、手袋、フェイス・マスクまたはカバー衣類であることを特徴とする物品。
【請求項１８】
請求項２に記載された物品であって、
前記洗浄物品は、ワイパシートまたはパッドであることを特徴とする物品。
【請求項１９】
基材を酸化化合物で処理する方法であって、
過酸化物含有化合物を準備し、
前記過酸化物含有化合物を前記基材の表面に塗布または組み込み、
前記過酸化物含有化合物は、前記基材の内部または表面のその場で発生させられることを特徴とする方法。
【請求項２０】
請求項１９に記載された方法であって、
前記過酸化物含有化合物は、前記過酸化物含有化合物および前記基材の種類または性質に基づいて、凍結乾燥法または加熱方法によって発生させられることを特徴とする方法。
【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
セキュアな機能セット（７７）の配布インフラストラクチャを医療機器（１８）管理に提供するためのシステム（１０）であって、
医療機器（１８）と、該医療機器（１８）に一時的に接続可能な通信機器（１３）との間のデータダウンロードのための固有の関連付けマップ（４０）と、
該医療機器（１８）および該通信機器（１３）のうちの少なくとも１つの動作特性（４１〜４８）を含む構成カタログ（７６）と、
ダウンロード可能な機能セット（７７）を格納するデータベース（７５）に対して、該構成カタログ（７６）内に保持される該動作特性（４１〜４８）を定期的にチェックし、変更された動作特性（４１〜４８）を含む１つ以上の機能セット（７７）を配布のために識別する更新チェッカ（７１）であって、該１つ以上の機能セット（７７）は、デジタル署名（１０３）され、該１つ以上の機能セット（７７）は、複数のネットワーク（１２）を通じて該通信機器（１３）に提供される、更新チェッカ（７１）と、
信頼できるソース（１１）で始まり該通信機器（１３）で終わる信頼の連鎖を通じて、該１つ以上の機能セット（７７）の完全性を認証し、チェックするオーセンティケータ（７２）と
を備える、システム（１０）。
【請求項２】
前記信頼できるソース（１１）は、セキュアな配布サーバ（１１）である、請求項１に記載のシステム（１０）。
【請求項３】
前記１つ以上の機能セット（７７）は、ダウンロード要求に応えて、前記通信機器（１３）に送信される、請求項１に記載のシステム（１０）。
【請求項４】
前記１つ以上の機能セット（７７）は、セキュアな配布サーバ（１１）から前記通信機器（１３）に、オンデマンドにまたは付加的に送信されるか、または一方的に放送される、請求項１に記載のシステム（１０）。
【請求項５】
前記医療機器（１８）および前記通信機器（１３）のうちの少なくとも１つを前記１つ以上の機能セット（７７）で更新（８１）し、更新（８１）の成功に続いて、通知（８０）を前記セキュアな配布サーバ（１１）に送信するインストーラと、
該医療機器（１８）のうちの少なくとも１つから該通信機器（１３）に生理学的評価指標（８３）を定期的に収集し、定期的に受信されるアップロード要求（８２）に応えて、該収集された生理学的評価指標（８３）を提供するコレクタと、
少なくとも１つのさらなる医療機器（１８）と、該少なくとも１つのさらなる医療機器（１８）に一時的に接続可能な該通信機器（１３）との間のデータアップロード（８５）のために関連付けをマップするさらなるマップ（４０）と、
複数の医療機器（１８）と、該医療機器（１８）のそれぞれに一時的に接続可能な該通信機器（１３）との間のデータダウンロードのために固有の関連付けをマップするさらなるマップ（４０）と
のうちの少なくとも一つをさらに備える、請求項１に記載のシステム（１０）。
【請求項６】
前記１つ以上の機能セット（７７）は、ファームウェアおよびソフトウェアの更新（８１）のうちの少なくとも１つを含むプログラムコードを備える、請求項１に記載のシステム（１０）。
【請求項７】
前記医療機器（１８）は、埋め込み型医療機器（１８）、外付け型医療機器（２０）、
ペースメーカ、埋め込み型除細動器、心臓再同期機器、神経学的インプラント、心臓モニタ、呼吸モニタ、自動体外式除細動器、ホルターモニタ、ピルディスペンサ、体重計、血圧モニタ、
患者通信機器（１３）、リピータ、プログラマ、およびプログラマ／レコーダ
のうちの少なくとも１つを含む、請求項１に記載のシステム（１０）。
【請求項８】
セキュアな機能セット（７７）の配布インフラストラクチャを医療機器（１８）管理に提供するための方法（２３０）であって、
医療機器（１８）と、該医療機器（１８）に一時的に接続可能な通信機器（１３）との間のデータダウンロードのための固有の関連付けをマップ（４０）することと、
該医療機器（１８）および該通信機器（１３）のうちの少なくとも１つの動作特性（４１〜４８）を含む構成カタログ（７６）を保持することと、
ダウンロード可能な機能セット（７７）を格納するデータベース（７５）に対して、該構成カタログ（７６）内に保持された該動作特性（４１〜４８）を定期的にチェックし、変更された動作特性（４１〜４８）を含む１つ以上の機能セット（７７）を配布のために識別することと、
該１つ以上の機能セット（７７）をデジタル署名（１０３）し、該１つ以上の機能セット（７７）を複数のネットワーク（１２）を通じて該通信機器（１３）に提供することと、
信頼できるソース（１１）で始まり該通信機器（１３）で終わる信頼の連鎖を通じて、該１つ以上の機能セット（７７）の完全性を認証（７２）し、チェックすることと
を含む、方法（２３０）。
【請求項９】
前記信頼できるソース（１１）は、セキュアな配布サーバ（１１）である、請求項８に記載の方法（２３０）。
【請求項１０】
前記１つ以上の機能セット（７７）を、ダウンロード要求に応えて、前記通信機器（１３）に送信することをさらに含む、請求項８に記載の方法（２３０）。
【請求項１１】
前記１つ以上の機能セット（７７）を、セキュアな配布サーバ（１１）から前記通信機器（１３）に、オンデマンドにまたは付加的に送信するか、または一方的に放送することをさらに含む、請求項８に記載の方法（２３０）。
【請求項１２】
前記医療機器（１８）および前記通信機器（１３）のうちの少なくとも１つを前記１つ以上の機能セット（７７）で更新（８１）することと、
更新（８１）の成功に続いて、通知（８０）をセキュアな配布サーバ（１１）から送信することと、
該医療機器（１８）のうちの少なくとも１つから該通信機器（１３）に生理学的評価指標（８３）を定期的に収集することと、
定期的に受信されるアップロード要求（８２）に応えて、該収集された生理学的評価指標（８３）を提供することと、
少なくとも１つのさらなる医療機器（１８）と、該少なくとも１つのさらなる医療機器（１８）に一時的に接続可能な該通信機器（１３）との間のデータアップロード（８５）のために関連付けをマップ（４０）することと、
複数の医療機器（１８）と、該医療機器（１８）のそれぞれに一時的に接続可能な該通信機器（１３）との間のデータダウンロードのために固有の関連付けをマップ（４０）することと
のうちの少なくとも一つをさらに含む、請求項８に記載の方法（２３０）。
【請求項１３】
前記１つ以上の機能セット（７７）は、ファームウェアおよびソフトウェアの更新（８１）のうちの少なくとも１つを含むプログラムコードを備える、請求項８に記載の方法（２３０）。
【請求項１４】
前記医療機器（１８）は、埋め込み型医療機器（１８）、外付け型医療機器（２０）、
ペースメーカ、埋め込み型除細動器、心臓再同期機器、神経学的インプラント、心臓モニタ、呼吸モニタ、自動体外式除細動器、ホルターモニタ、ピルディスペンサ、体重計、血圧モニタ、
患者通信機器（１３）、リピータ、プログラマ、およびプログラマ／レコーダ
のうちの少なくとも１つを含む、請求項８に記載の方法（２３０）。
【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
医療上有意な被分析物について、ヒトまたは動物の代謝を調査するためのシステムにおいて、
ヒトまたは動物の体液中の医療上有意な被分析物の濃度と相関する測定生データを測定するためのセンサ（１０）と、
前記センサ（１０）によって測定され、また、少なくとも８時間、好ましくは少なくとも２４時間の期間に配分された時点ｔ1〜ｔnについて、ヒトまたは動物の体液中の医療上有意な被分析物の濃度と相関する一連の生データを分析するための分析装置（１３）とを有し、
それにより、前記分析装置（１３）は、
動作時に、それが、各々少なくとも１時間継続する複数の時間間隔を前記期間から選び、
前記生データから測定データ（ｇ）を算出し、それにより、算出工程において線形変換が実施され、前記線形変換が、異なる時間間隔に対して個別に定義され、
前測定データ（ｇ）の時間による一次導関数（ｇ’）を算出し、
前記時間間隔の各々に対して、前記時間間隔内における前記測定データ（ｇ）の前記一次導関数（ｇ’）から、前記時間内における被分析物濃度の変化のダイナミックスを特徴付ける安定性パラメータ（Ｓ）を算出し、さらに
代謝の疾患関連の特異症状を判定するために、前記安定性パラメータ（Ｓ）を分析するようになっていることを特徴とするシステム。
【請求項２】
前記分析装置（１３）は、別の算出工程において、前記時間による導関数（ｇ’）の値の標準偏差を算出することを特徴とする請求項１記載のシステム。
【請求項３】
前記分析装置（１３）は、対応した時間間隔の前記測定データ（ｇ）の平均が予め決められた値と一致するように、前記個別の時間間隔の各々についての線形変換式（ｆ）を選ぶことを特徴とする請求項１または２記載のシステム。
【請求項４】
前記分析装置（１３）は、対応した時間間隔の前記測定データ（ｇ）の標準偏差が予め決められた値と一致するように、前記個別の時間間隔の各々についての線形変換式（ｆ）を選ぶことを特徴とする請求項１〜３のいずれか１項に記載のシステム。
【請求項５】
前記分析装置（１３）は、前記安定性パラメータ（Ｓ）を算出するために、とりわけ前記測定データ（ｇ）の時間による導関数についてフーリエ変換を実施することを特徴とする請求項１〜４のいずれか１項に記載のシステム。
【請求項６】
前記被分析物はグルコースであることを特徴とする請求項１〜５のいずれか１項に記載のシステム。
【請求項７】
前記分析装置（１３）は、前記安定性パラメータの分析によって判定されたグルコース代謝の疾患関連の特異症状に対して、とりわけインスリン投与量の設定に関する治療上のアドバイスを出すことを特徴とする請求項６記載のシステム。
【請求項８】
前記分析装置（１３）は、出力ユニット（１７）、入力ユニット（１６）およびメモリ（１５）を有する携帯型装置、とりわけＰＤＡであることを特徴とする請求項１〜７のいずれか１項に記載のシステム。
【請求項９】
少なくとも８時間、好ましくは少なくとも２４時間の期間に配分されている時点（ｔ1〜ｔn）について、ヒトまたは動物の体液中の医療上有意な被分析物の濃度と相関する一連の生データを分析する方法において、それにより
各々少なくとも１時間継続する複数の時間間隔を、前記期間から選び、
前記生データから測定データ（ｇ）を算出し、それにより、算出工程において線形変換が実施され、前記線形変換が、異なる時間間隔に対して個別に定義され、
前測定データ（ｇ）の時間による一次導関数（ｇ’）を算出し、
前記時間間隔の各々に対して、前記時間間隔内における前記測定データ（ｇ）の前記一次導関数（ｇ’）から、前記時間内における被分析物濃度の変化のダイナミックスを特徴付ける安定性パラメータ（Ｓ）を算出し、さらに
代謝の疾患関連の特異症状を判定するために、前記安定性パラメータを分析することを特徴とする方法。
【請求項１０】
デジタル式コンピュータのメモリに直接取り込むことが可能であり、かつコンピュータ上で走らせたとき、請求項９記載の方法の前記工程を実行するために用いることができるソフトウェア部を有するコンピュータ・プログラム製品。